(57)【要約】      （修正有）【課題】発熱量を大幅に低減させ、ＬＥＤを把持している樹脂の劣化をも抑制し、ＬＥＤ素子自体の寿命をものばすことができる照明装置を提供する。【解決手段】高伝導率の金属製部材からなる筒状パイプ型をなす照明装置取付体と、照明装置取付体の外側面に取り付けられる複数のＬＥＤと、照明装置取付体の筒内部に存する中空部に封入され、照明装置取付体を放熱器として兼用させる放熱用部材と、を備える。放熱用部材は、融点が０〜１３０℃の範囲で異なる複数の潜熱蓄熱材と、熱伝導用粉末と、潜熱蓄熱材と熱伝導用粉末を混入する液体とを有して構成する。放熱用部材を封入する照明装置取付体の中空部の容積、並びに中空部に封入される放熱用部材の容量は、取り付けられるＬＥＤの数に応じて増減できる構成とする。【選択図】図１
0003159384.tif 000002
【実用新案登録請求の範囲】
【請求項１】
高伝導率の金属製部材からなる筒状パイプ型をなす照明装置取付体と、該照明装置取付体の外側面に取り付けられる複数のＬＥＤと、前記照明装置取付体の筒内部に存する中空部に封入され、照明装置取付体を放熱器として兼用させる放熱用部材と、を備え、
前記放熱用部材は、融点が０〜１３０℃の範囲で異なる複数の潜熱蓄熱材と、熱伝導用粉末と、前記両者を混入する液体とを有して構成し、
前記放熱部材を封入する照明装置取付体の中空部の容積、並びに該中空部に封入される放熱部材の容量は、前記取り付けられるＬＥＤの数に応じて増減できる構成とした、
ことを特徴とする照明装置。
【考案の詳細な説明】
【技術分野】
【０００１】
本考案は、いわゆるLEDライトを使用した照明装置に関するものである。
【背景技術】
【０００２】
いわゆる直管蛍光灯を使用する行灯タイプの縦型ランプは、主に、建築の内装工事やリフォーム等の工事に使用されているものであり、一般に１台あたり約40ｗ×４本程度の電気容量を要する。
ここで、上記建築の内装工事やリフォーム工事においては、照明すべき対象エリアを緩やかに、かつ広く照らすことが要請されており、もって比較的低容量の照明器具として、前記行灯タイプの縦型直管蛍光灯ライトが専ら使用されていたのである。
また、建築リフォーム等の作業では、工事エリアを仮壁等で仕切り、工事範囲以外では、通常の業務を平行して実施する状況にすることが多い。例えば、百貨店やテナント等の売り場や店舗の改修工事等の如くである。このようなタイプの工事エリアにおいても、いわゆる前記した行灯タイプの縦型直管蛍光灯ライトが一般に使用されていた。
【０００３】
しかるに、前記従来から使用されている行灯タイプの縦型ランプは、蛍光灯からの発熱により照光部側部では、例えば５時間使用で最高温度部分が夏場外気温度以上になることがある。
また、密閉された作業空間になる場合においては、工事の段取り上、空調が使えない場合もあり、特に夏場は、高温の作業環境となっていた。
さらに、新築の建築工事では、工事用受電として臨時電力等の小容量対応が多く、作業工具等を使用する関係上、全体の電気利用容量に制限がある。そのため、照明設備の使用数量も制限され、照度の足りない中での作業を行わなければならないとの課題もあった。
【０００４】
そこで、近年では前記の行灯タイプの縦型ランプに替えて、いわゆるELDライトを用いた照明装置が使用されるに至っている（特開２００９−２５２４６５号公報参照）。
【０００５】
ここで、LEDライトに係わる一般的な特徴について説明すると、まず、従来からの蛍光灯タイプの最大寿命が約8,000時間であるのに対し、LEDタイプは、約40,000時間以上の長寿命が達成できる。また、従来の消費電力が160ｗであるのに対し、LEDライトでは、最大95ｗであり、大幅な省エネが達成できる。
さらに、いわゆる蛍光管には、内部に水銀が含まれている為に、簡単に廃棄処理が出来ないが、LEDは、水銀等含まれず、環境にやさしい素材である。
また、一般的に、LED照明は、蛍光灯照明に比べて虫を誘導しにくいため、夏場の作業環境とメンテナンスに優れているともいえる。さらに、LED照明は、表面からの発熱が非常に少ない為、作業環境の急激な温度上昇をも抑えることが出来る。
さらに、蛍光灯タイプは、供給側電源の電圧降下時に、照度低下が見られるが、LED照明は、定電流方式のため、照度が低下することがないとの利点もある。
【先行技術文献】
【特許文献】
【０００６】
【特許文献１】特開２００９−２５２４６５号公報
【考案の概要】
【考案が解決しようとする課題】
【０００７】
しかしながら、かかる従来のLEDランプであっても、全体の電気容量が大きくなると、やはり発熱量も大きくなり、通常の放熱器などを利用しての熱発散では限界があった。そして、前記の高熱は、LEDを把持している樹脂の劣化を早まらせ、ひいてはLED自体の寿命を短くしてしまうとの課題があった。
【０００８】
かくして、本考案は前記従来の課題に対処すべく案出されたものであって、本考案で提案した照明装置取付体の構造を利用しての熱発散処理を行うため、たとえ発熱があったとしてもその発熱量を大幅に低減させることができ、もって、LEDを把持している樹脂の劣化をも抑制し、LED素子自体の寿命をものばすことができる照明装置を提供することを目的とするものである。
【課題を解決するための手段】
【０００９】
本考案による照明装置は、高熱伝導率の金属製部材からなる筒状パイプ型をなす照明装置取付体と、該照明装置取付体の外側面に取り付けられる複数のＬＥＤと、前記照明装置取付体における筒内部の中空部に封入され、照明装置取付体を放熱器として兼用させる放熱用部材と、を備え、
前記放熱用部材は、融点が０〜１３０℃の範囲で異なる複数の潜熱蓄熱材と、熱伝導用粉末と、前記両者を混入する液体とを有して構成し、
前記放熱部材を封入する照明装置取付体の中空部の容積、並びに該中空部に封入される放熱部材の容量は、前記取り付けられるＬＥＤの数に応じて増減できる構成とした、
ことを特徴とするものである。
【考案の効果】
【００１０】
本考案による照明装置であれば、本校独特の熱発散処理を行う放熱構造を採用するため、光源であるＬＥＤの発熱量を大幅に低減させることができ、もって、LEDを把持している樹脂の劣化をも抑制し、かつLEDの寿命をものばすことができるとの優れた効果を奏する照明装置を提供できる。
【図面の簡単な説明】
【００１１】
【図１】本考案による照明装置のカバーをはずした状態での概略を説明する概略構成説明図である。
【図２】本考案による照明装置の概略を説明する概略構成説明図である。
【図３】本考案による照明装置取付体の概略構成を説明する概略縦断面図である。
【図４】本実施例による放熱材料の種類及びその割合を示した表１である。
【図５】本考案における実施例の結果を示した表２である。
【図６】本考案における実施例の結果を示したグラフ１である。
【図７】本考案における実施例の結果を示した表３である。
【図８】本考案における実施例の結果を示したグラフ２である。
【考案を実施するための形態】
【００１２】
以下、本考案を図面に基づいて説明する。
図１において符号１は、照明装置取付体を示す。本実施例において、該照明装置取付体１は、高熱伝導率の金属製部材からなる筒状パイプ型をなして構成されている。
【００１３】
なお、図１では円筒パイプ状に構成してあるが、かかる形状に限定されるものではない。多角形状をなす筒状パイプとして形成してもかまわない。
そして、該照明装置取付体１の外側面には複数のＬＥＤ２・・・が取り付けられている。
【００１４】
この取り付け手法についても何ら限定されないが、本実施例では複数のＬＥＤ２・・・が前記照明装置取付体１の軸方向（上下方向）に向かい所定の間隔をあけてほぼ直線状に並べて取り付けられ、直列につながれたＬＥＤライト１０として構成される。
また、このＬＥＤライト１０は、照明装置取付体１の外周面３６０度方向にわたって所定の間隔をあけて数カ所に取り付けられる。例えば照明装置取付体１の中心軸から放射状にして６カ所あるいは８カ所に取り付けるなどが考えられる。
【００１５】
図１においては、ＬＥＤライト１０が、外周面の２カ所に間隔をあけて取り付けられているのがわかるが、裏側には４カ所にわたって取り付けられているが如きである。
ここで、照明装置取付体１は、前述のように、高熱伝導率の金属製部材で筒状パイプ型をなして構成されており、例えば、アルミや銅などの熱伝導性に優れた金属部材が用いられる。
【００１６】
そして、図３から理解されるように、この照明装置取付体１は、筒状パイプであり、もって内部に中空部３が設けられており、該中空部３内に、いわゆる液体状の放熱部材４が封入されるものとなる。
【００１７】
この放熱部材４は、融点が０〜１３０℃の範囲で異なっている複数の潜熱蓄熱材５と、熱伝導用粉末６と、前記両者を混入する液体７とを有して構成される。
【００１８】
具体的な例を挙げると、まず、融点が０〜１３０℃の範囲で異なる複数の潜熱蓄熱材５としては、無機水和塩、有機物化合物、無機系固液蒸気相、溶解共晶塩などの物質があげられる。
また、前記無機水和塩の例としては塩化カルシウム水和物、硫酸ナトリウム水和物、チオ硫酸ナトリウム水和物、酢酸ナトリウム水和物等があげられる。さらに、有機物化合物としては各種パラフィン  Ｎ−デカン等が例としてあげられる。
【００１９】
次に、無機系固液蒸気相としては水等が具体例としてあげられる。溶解共晶塩としては水酸化ナトリウム−硝酸ナトリウム、塩化ナトリウム−塩化カリウム−塩化マグネシウム等が例としてあげられる。そして、これらの少なくともいずれか１つ、あるいは複数を混合して用いられるものとなる。
【００２０】
次に、前記熱伝導粉末６としては、炭素、金属微粉末が具体例としてあげられる。さらに、前記金属微粉末としては、アルミ、銅等が具体例としてあげられる。
また、液体７としては、低沸点溶剤、水、ポリエチレングリコール又は無機塩水和物の融解したものから得られる液体などが具体例としてあげられる。
【００２１】
しかして、これらから構成された放熱部材４が前記中空部３内に封入され、前記高熱伝導率の金属製部材で形成された照明装置取付体１の素材と相まって複数のＬＥＤ２・・・からの発熱を放熱する放熱器として機能するものとなる。
【００２２】
ここで、本実施例では照明装置取付体１の中空部３は、照明装置取付体１の上部から全長約３分の１程度の長さに構成されており、この中空部３内に前記放熱部材４が封入されるものとなる。
【００２３】
なお、中空部３の長さは随時変更可能とすることができ、照明装置取付体１の外周面にＬＥＤ２を大量に取り付けた結果、発熱量が多くなった場合には、前記中空部３の長さを照明装置取付体１の全長長さとほぼ同様にし、その中空部３内に放熱部材４を封入して、いわゆる大規模の放熱器を構成し、放熱を図ることもできる。
【００２４】
しかして、前記のように構成され、放熱器を兼用する照明装置取付体１は図１に示すように、照明装置の基台８上に立設される。
そして、その周りには図２から理解されるように、円筒状のカバー部材９で覆われるものとなる。該カバー部材９は、乱反射効果の大きい拡散フィルム（例えば乳色樹脂製）で構成されている。
【００２５】
LＥD２は、光の直進性が強く、ＬＥＤ２を使用した照明装置につき、全体を緩やかに照らす照明装置とするには、乱反射する拡散フィルムを通したり、レンズで拡散する必要があるからである。よって本実施例では乱反射効果の大きい拡散フィルム（例えば乳色樹脂製）をカバーとして使用するものとした。
以上において、本考案による照明装置の動作、主に放熱の動作につき説明する。
【００２６】
融点の異なる複数の潜熱蓄熱剤５・・・と熱伝導用粉末６とを液体７に混合した液体混合物を放熱材料４とし、熱伝導率の高い金属部材で形成された照明装置取付体１の中空部３内に封入して密閉する。
そして、中空部３内において常温付近で前記放熱材料４を液状に保持しておく。
【００２７】
なお、前述したように、照明装置取付体１の外周面には複数のＬＥＤ２・・・で構成されたＬＥＤランプ１０・・・が放射状に３６０度照明できるように配置され、電源からの電気の供給により点灯するように構成されている。
【００２８】
次いで、ＬＥＤ２・・・を点灯させて照明装置として使用すると、通常の電球や蛍光灯ほどの発熱量ではないが、ＬＥＤ２が発熱する。
その熱がそのままの状態で照明装置取付体１に残ると、その熱により、ＬＥＤ２・・・を保持している樹脂などに悪影響を与える。
そこでその熱を放熱する必要がある。本考案でそのＬＥＤ２・・・の発熱による熱は、該ＬＥＤ２・・・の取付部材である金属部材で構成され、放熱器ともなっている照明装置取付体１に移動する。さらに、照明装置取付体１では、ＬＥＤ２・・・からの熱を中空部３内に封入された潜熱蓄熱剤５側に速やかに移動させる。
【００２９】
複数の潜熱蓄熱材５は、それぞれが持つ融点で、温度上昇に伴い順次ＬＥＤ２・・・からの熱の熱吸収を行いながら液化して、前記中空部３内で熱の対流を促進させる
また、液体７の低沸点溶剤は、潜熱蓄熱剤５・・・の融解温度近辺で気化し、速やかに中空部３の上方に蒸気として上がり、熱の外部移動を促進させる。
そして、前記低沸点溶剤は熱を奪われてから冷却して液化し、もってこのサイクルが繰り返されるものとなる。
【００３０】
したがって、液体７中に分散させた複数の潜熱蓄熱剤５・・・の大きな融解溶熱を利用して、常温付近から大量の熱移動が可能となるため、他のフィン付きの放熱器と比較して小容積で、熱容量の大きなＬＥＤ２・・・近傍の温度を、所定の温度幅に抑えることになる。
また、前記低沸点溶剤の気化による照明装置取付体１の内壁への熱移動により、照明装置取付体１自体の温度についても沸点以下に抑えられる。
【実施例】
【００３１】
ここで、例えば、融点の異なる複数の潜熱蓄熱剤５・・・としては無機塩水和物としての酢酸ナトリウム３水和物(融点５８℃)、硫酸ナトリウム１０水和物（融点３２℃）を使用する。熱伝導用粉末６については炭素と金属粉末としてアルミ、銅の微粉を使用する。
【００３２】
さらに、液体７としては水、及び低触点溶剤としてメタノールを使用し、表１に示す割合で内容積２５０ｃｃのアルミニウム製からなる照明装置取付体１の中空部３内に封入して完全に密閉する。
例えば、１０Ｗの熱量を与えながら、その近傍部（例えばＬＥＤ２から４ｃｍ離れた場所）及び照明装置取付体１の表面温度を測定した。また比較例として照明装置取付体１の中空部を空にした状態で同様の方法で測定した。
【００３３】
１０Ｗの熱量を有するＬＥＤ２を取り付けた照明装置取付体１（図５で示す実施例１）及び中空部３を空にした照明装置取付体１（図５で示す比較例１）のＬＥＤ２近傍（照明装置取付体１表面）の温度（℃）は図５及び図６に示す表２及びグラフ１の通りであった。
【００３４】
また、１０Ｗの熱量を有するＬＥＤ２を取り付けた照明装置取付体１（図７で示す実施例２）及び中空部３を空にした照明装置取付体１（図７で示す比較例２）のＬＥＤ２から離れた壁面（例えばＬＥＤ２から４ｃｍ離れた場所）の温度（℃）は図７及び図８に示す表３及びグラフ２の通りであった。
尚、潜熟蓄熱剤５と熱伝導用粉末６を混入した液体７との比率は１００：５〜１００：７０が好ましいものである。また、より好ましくは１００：３０〜１００：５０である。
さらに、液体７と熱伝導用粉末６との比率は１００：５０〜１００：４０が好ましく、より好ましくは１００：１０〜１００：３０である。
【００３５】
しかして、上記各図に示す表２及び３、グラフ１及び２から明らかなように、実施例１、２の照明装置取付体１における温度制御は極めて良好であり、いわゆる電子機器に悪影響を与える可能性があるとされる約８０度の温度に９６時間放置しても到達していないことが理解される。
一方、中空部３を空にした照明装置取付体１についてはＬＥＤ２が発熱した温度と殆ど同じ温度にまで到達していることが理解できる。
【００３６】
しかして、本考案による照明装置であれば、たとえ、大量のLED素子を使用した場合でも、きわめて温度上昇を少なくすることができ、従って蛍光灯より以上の光量を有し、広がりがある照度を確保できる照明装置を提供できる。
【００３７】
さらに、本考案の照明装置では、従来からあるタイプの大幅な電力消費量削減を実現しており、この削減された消費可能枠を活用して、今まで暗かった部分の作業エリアへの照明の増設や工具の追加使用が可能となった。
【００３８】
また、従来からある行灯タイプの40ｗ蛍光灯を４本縦に並列にした照明装置と比較して、照明装置の表面温度を大幅に下げることができる。そして、最高温度が下がるため、夏場の照明使用による温度上昇が大幅に抑えられるとの利点がある。
【００３９】
さらに、例えば、低温を維持する必要があるエリア（例えば、冷蔵・冷凍倉庫や生鮮取り扱い関連の場所）での、温度上昇要素からの商品への影響を大きく低減することができる。
【符号の説明】
【００４０】
１      照明装置取付体
２      ＬＥＤ
３      中空部
４      放熱部材
５      潜熱蓄熱材
６      熱伝導用粉末
７      液体
８      基台
９      カバー部材
１０    ＬＥＤライト
【図１】
0003159384.tif 000003
【図２】
0003159384.tif 000004
【図３】
0003159384.tif 000005
【図４】
0003159384.tif 000006
【図５】
0003159384.tif 000007
【図６】
0003159384.tif 000008
【図７】
0003159384.tif 000009
【図８】
0003159384.tif 000010
【手続補正書】
【提出日】平成22年3月9日(2010.3.9)
【手続補正１】
【補正対象書類名】明細書
【補正対象項目名】全文
【補正方法】変更
【補正の内容】
【考案の詳細な説明】
【技術分野】
【０００１】
本考案は、いわゆるLEDライトを使用した照明装置に関するものである。
【背景技術】
【０００２】
いわゆる直管蛍光灯を使用する行灯タイプの縦型ランプは、主に、建築の内装工事やリフォーム等の工事に使用されているものであり、一般に１台あたり約40ｗ×４本程度の電気容量を要する。
ここで、上記建築の内装工事やリフォーム工事においては、照明すべき対象エリアを緩やかに、かつ広く照らすことが要請されており、もって比較的低容量の照明器具として、前記行灯タイプの縦型直管蛍光灯ライトが専ら使用されていたのである。
また、建築リフォーム等の作業では、工事エリアを仮壁等で仕切り、工事範囲以外では、通常の業務を平行して実施する状況にすることが多い。例えば、百貨店やテナント等の売り場や店舗の改修工事等の如くである。このようなタイプの工事エリアにおいても、いわゆる前記した行灯タイプの縦型直管蛍光灯ライトが一般に使用されていた。
【０００３】
しかるに、前記従来から使用されている行灯タイプの縦型ランプは、蛍光灯からの発熱により照光部側部では、例えば５時間使用で最高温度部分が夏場外気温度以上になることがある。
また、密閉された作業空間になる場合においては、工事の段取り上、空調が使えない場合もあり、特に夏場は、高温の作業環境となっていた。
さらに、新築の建築工事では、工事用受電として臨時電力等の小容量対応が多く、作業工具等を使用する関係上、全体の電気利用容量に制限がある。そのため、照明設備の使用数量も制限され、照度の足りない中での作業を行わなければならないとの課題もあった。
【０００４】
そこで、近年では前記の行灯タイプの縦型ランプに替えて、いわゆるELDライトを用いた照明装置が使用されるに至っている（特開２００９−２５２４６５号公報参照）。
【０００５】
ここで、LEDライトに係わる一般的な特徴について説明すると、まず、従来からの蛍光灯タイプの最大寿命が約8,000時間であるのに対し、LEDタイプは、約40,000時間以上の長寿命が達成できる。また、従来の消費電力が160ｗであるのに対し、LEDライトでは、最大95ｗであり、大幅な省エネが達成できる。
さらに、いわゆる蛍光管には、内部に水銀が含まれている為に、簡単に廃棄処理が出来ないが、LEDは、水銀等含まれず、環境にやさしい素材である。
また、一般的に、LED照明は、蛍光灯照明に比べて虫を誘導しにくいため、夏場の作業環境とメンテナンスに優れているともいえる。さらに、LED照明は、表面からの発熱が非常に少ない為、作業環境の急激な温度上昇をも抑えることが出来る。
さらに、蛍光灯タイプは、供給側電源の電圧降下時に、照度低下が見られるが、LED照明は、定電流方式のため、照度が低下することがないとの利点もある。
【先行技術文献】
【特許文献】
【０００６】
【特許文献１】特開２００９−２５２４６５号公報
【考案の概要】
【考案が解決しようとする課題】
【０００７】
しかしながら、かかる従来のLEDランプであっても、全体の電気容量が大きくなると、やはり発熱量も大きくなり、通常の放熱器などを利用しての熱発散では限界があった。そして、前記の高熱は、LEDを把持している樹脂の劣化を早まらせ、ひいてはLED自体の寿命を短くしてしまうとの課題があった。
【０００８】
かくして、本考案は前記従来の課題に対処すべく案出されたものであって、本考案で提案した照明装置取付体の構造を利用しての熱発散処理を行うため、たとえ発熱があったとしてもその発熱量を大幅に低減させることができ、もって、LEDを把持している樹脂の劣化をも抑制し、LED素子自体の寿命をものばすことができる照明装置を提供することを目的とするものである。
【課題を解決するための手段】
【０００９】
本考案による照明装置は、高熱伝導率の金属製部材からなる筒状パイプ型をなす照明装置取付体と、該照明装置取付体の外側面に取り付けられる複数のＬＥＤと、前記照明装置取付体における筒内部の中空部に封入され、照明装置取付体を放熱器として兼用させる放熱用部材と、を備え、
前記放熱用部材は、融点が０〜１３０℃の範囲で異なる複数の潜熱蓄熱材と、熱伝導用粉末と、前記潜熱蓄熱材と前記熱伝導用粉末を混入する液体とを有して構成し、
前記放熱用部材を封入する照明装置取付体の中空部の容積、並びに該中空部に封入される放熱用部材の容量は、前記取り付けられるＬＥＤの数に応じて増減できる構成とした、
ことを特徴とするものである。
【考案の効果】
【００１０】
本考案による照明装置であれば、本校独特の熱発散処理を行う放熱構造を採用するため、光源であるＬＥＤの発熱量を大幅に低減させることができ、もって、LEDを把持している樹脂の劣化をも抑制し、かつLEDの寿命をものばすことができるとの優れた効果を奏する照明装置を提供できる。
【図面の簡単な説明】
【００１１】
【図１】本考案による照明装置のカバーをはずした状態での概略を説明する概略構成説明図である。
【図２】本考案による照明装置の概略を説明する概略構成説明図である。
【図３】本考案による照明装置取付体の概略構成を説明する概略縦断面図である。
【図４】本実施例による放熱材料の種類及びその割合を示した表１である。
【図５】本考案における実施例の結果を示した表２である。
【図６】本考案における実施例の結果を示したグラフ１である。
【図７】本考案における実施例の結果を示した表３である。
【図８】本考案における実施例の結果を示したグラフ２である。
【考案を実施するための形態】
【００１２】
以下、本考案を図面に基づいて説明する。
図１において符号１は、照明装置取付体を示す。本実施例において、該照明装置取付体１は、高熱伝導率の金属製部材からなる筒状パイプ型をなして構成されている。
【００１３】
なお、図１では円筒パイプ状に構成してあるが、かかる形状に限定されるものではない。多角形状をなす筒状パイプとして形成してもかまわない。
そして、該照明装置取付体１の外側面には複数のＬＥＤ２・・・が取り付けられている。
【００１４】
この取り付け手法についても何ら限定されないが、本実施例では複数のＬＥＤ２・・・が前記照明装置取付体１の軸方向（上下方向）に向かい所定の間隔をあけてほぼ直線状に並べて取り付けられ、直列につながれたＬＥＤライト１０として構成される。
また、このＬＥＤライト１０は、照明装置取付体１の外周面３６０度方向にわたって所定の間隔をあけて数カ所に取り付けられる。例えば照明装置取付体１の中心軸から放射状にして６カ所あるいは８カ所に取り付けるなどが考えられる。
【００１５】
図１においては、ＬＥＤライト１０が、外周面の２カ所に間隔をあけて取り付けられているのがわかるが、裏側には４カ所にわたって取り付けられているが如きである。
ここで、照明装置取付体１は、前述のように、高熱伝導率の金属製部材で筒状パイプ型をなして構成されており、例えば、アルミや銅などの熱伝導性に優れた金属部材が用いられる。
【００１６】
そして、図３から理解されるように、この照明装置取付体１は、筒状パイプであり、もって内部に中空部３が設けられており、該中空部３内に、いわゆる液体状の放熱用部材４が封入されるものとなる。
【００１７】
この放熱用部材４は、融点が０〜１３０℃の範囲で異なっている複数の潜熱蓄熱材５と、熱伝導用粉末６と、前記両者を混入する液体７とを有して構成される。
【００１８】
具体的な例を挙げると、まず、融点が０〜１３０℃の範囲で異なる複数の潜熱蓄熱材５としては、無機水和塩、有機物化合物、無機系固液蒸気相、溶解共晶塩などの物質があげられる。
また、前記無機水和塩の例としては塩化カルシウム水和物、硫酸ナトリウム水和物、チオ硫酸ナトリウム水和物、酢酸ナトリウム水和物等があげられる。さらに、有機物化合物としては各種パラフィン  Ｎ−デカン等が例としてあげられる。
【００１９】
次に、無機系固液蒸気相としては水等が具体例としてあげられる。溶解共晶塩としては水酸化ナトリウム−硝酸ナトリウム、塩化ナトリウム−塩化カリウム−塩化マグネシウム等が例としてあげられる。そして、これらの少なくともいずれか１つ、あるいは複数を混合して用いられるものとなる。
【００２０】
次に、前記熱伝導粉末６としては、炭素、金属微粉末が具体例としてあげられる。さらに、前記金属微粉末としては、アルミ、銅等が具体例としてあげられる。
また、液体７としては、低沸点溶剤、水、ポリエチレングリコール又は無機塩水和物の融解したものから得られる液体などが具体例としてあげられる。
【００２１】
しかして、これらから構成された放熱用部材４が前記中空部３内に封入され、前記高熱伝導率の金属製部材で形成された照明装置取付体１の素材と相まって複数のＬＥＤ２・・・からの発熱を放熱する放熱器として機能するものとなる。
【００２２】
ここで、本実施例では照明装置取付体１の中空部３は、照明装置取付体１の上部から全長約３分の１程度の長さに構成されており、この中空部３内に前記放熱用部材４が封入されるものとなる。
【００２３】
なお、中空部３の長さは随時変更可能とすることができ、照明装置取付体１の外周面にＬＥＤ２を大量に取り付けた結果、発熱量が多くなった場合には、前記中空部３の長さを照明装置取付体１の全長長さとほぼ同様にし、その中空部３内に放熱用部材４を封入して、いわゆる大規模の放熱器を構成し、放熱を図ることもできる。
【００２４】
しかして、前記のように構成され、放熱器を兼用する照明装置取付体１は図１に示すように、照明装置の基台８上に立設される。
そして、その周りには図２から理解されるように、円筒状のカバー部材９で覆われるものとなる。該カバー部材９は、乱反射効果の大きい拡散フィルム（例えば乳色樹脂製）で構成されている。
【００２５】
LＥD２は、光の直進性が強く、ＬＥＤ２を使用した照明装置につき、全体を緩やかに照らす照明装置とするには、乱反射する拡散フィルムを通したり、レンズで拡散する必要があるからである。よって本実施例では乱反射効果の大きい拡散フィルム（例えば乳色樹脂製）をカバーとして使用するものとした。
以上において、本考案による照明装置の動作、主に放熱の動作につき説明する。
【００２６】
融点の異なる複数の潜熱蓄熱剤５・・・と熱伝導用粉末６とを液体７に混合した液体混合物を放熱材料４とし、熱伝導率の高い金属部材で形成された照明装置取付体１の中空部３内に封入して密閉する。
そして、中空部３内において常温付近で前記放熱材料４を液状に保持しておく。
【００２７】
なお、前述したように、照明装置取付体１の外周面には複数のＬＥＤ２・・・で構成されたＬＥＤランプ１０・・・が放射状に３６０度照明できるように配置され、電源からの電気の供給により点灯するように構成されている。
【００２８】
次いで、ＬＥＤ２・・・を点灯させて照明装置として使用すると、通常の電球や蛍光灯ほどの発熱量ではないが、ＬＥＤ２が発熱する。
その熱がそのままの状態で照明装置取付体１に残ると、その熱により、ＬＥＤ２・・・を保持している樹脂などに悪影響を与える。
そこでその熱を放熱する必要がある。本考案でそのＬＥＤ２・・・の発熱による熱は、該ＬＥＤ２・・・の取付部材である金属部材で構成され、放熱器ともなっている照明装置取付体１に移動する。さらに、照明装置取付体１では、ＬＥＤ２・・・からの熱を中空部３内に封入された潜熱蓄熱剤５側に速やかに移動させる。
【００２９】
複数の潜熱蓄熱材５は、それぞれが持つ融点で、温度上昇に伴い順次ＬＥＤ２・・・からの熱の熱吸収を行いながら液化して、前記中空部３内で熱の対流を促進させる
また、液体７の低沸点溶剤は、潜熱蓄熱剤５・・・の融解温度近辺で気化し、速やかに中空部３の上方に蒸気として上がり、熱の外部移動を促進させる。
そして、前記低沸点溶剤は熱を奪われてから冷却して液化し、もってこのサイクルが繰り返されるものとなる。
【００３０】
したがって、液体７中に分散させた複数の潜熱蓄熱剤５・・・の大きな融解溶熱を利用して、常温付近から大量の熱移動が可能となるため、他のフィン付きの放熱器と比較して小容積で、熱容量の大きなＬＥＤ２・・・近傍の温度を、所定の温度幅に抑えることになる。
また、前記低沸点溶剤の気化による照明装置取付体１の内壁への熱移動により、照明装置取付体１自体の温度についても沸点以下に抑えられる。
【実施例】
【００３１】
ここで、例えば、融点の異なる複数の潜熱蓄熱剤５・・・としては無機塩水和物としての酢酸ナトリウム３水和物(融点５８℃)、硫酸ナトリウム１０水和物（融点３２℃）を使用する。熱伝導用粉末６については炭素と金属粉末としてアルミ、銅の微粉を使用する。
【００３２】
さらに、液体７としては水、及び低触点溶剤としてメタノールを使用し、表１に示す割合で内容積２５０ｃｃのアルミニウム製からなる照明装置取付体１の中空部３内に封入して完全に密閉する。
例えば、１０Ｗの熱量を与えながら、その近傍部（例えばＬＥＤ２から４ｃｍ離れた場所）及び照明装置取付体１の表面温度を測定した。また比較例として照明装置取付体１の中空部を空にした状態で同様の方法で測定した。
【００３３】
１０Ｗの熱量を有するＬＥＤ２を取り付けた照明装置取付体１（図５で示す実施例１）及び中空部３を空にした照明装置取付体１（図５で示す比較例１）のＬＥＤ２近傍（照明装置取付体１表面）の温度（℃）は図５及び図６に示す表２及びグラフ１の通りであった。
【００３４】
また、１０Ｗの熱量を有するＬＥＤ２を取り付けた照明装置取付体１（図７で示す実施例２）及び中空部３を空にした照明装置取付体１（図７で示す比較例２）のＬＥＤ２から離れた壁面（例えばＬＥＤ２から４ｃｍ離れた場所）の温度（℃）は図７及び図８に示す表３及びグラフ２の通りであった。
尚、潜熟蓄熱剤５と熱伝導用粉末６を混入した液体７との比率は１００：５〜１００：７０が好ましいものである。また、より好ましくは１００：３０〜１００：５０である。
さらに、液体７と熱伝導用粉末６との比率は１００：５０〜１００：４０が好ましく、より好ましくは１００：１０〜１００：３０である。
【００３５】
しかして、上記各図に示す表２及び３、グラフ１及び２から明らかなように、実施例１、２の照明装置取付体１における温度制御は極めて良好であり、いわゆる電子機器に悪影響を与える可能性があるとされる約８０度の温度に９６時間放置しても到達していないことが理解される。
一方、中空部３を空にした照明装置取付体１についてはＬＥＤ２が発熱した温度と殆ど同じ温度にまで到達していることが理解できる。
【００３６】
しかして、本考案による照明装置であれば、たとえ、大量のLED素子を使用した場合でも、きわめて温度上昇を少なくすることができ、従って蛍光灯より以上の光量を有し、広がりがある照度を確保できる照明装置を提供できる。
【００３７】
さらに、本考案の照明装置では、従来からあるタイプの大幅な電力消費量削減を実現しており、この削減された消費可能枠を活用して、今まで暗かった部分の作業エリアへの照明の増設や工具の追加使用が可能となった。
【００３８】
また、従来からある行灯タイプの40ｗ蛍光灯を４本縦に並列にした照明装置と比較して、照明装置の表面温度を大幅に下げることができる。そして、最高温度が下がるため、夏場の照明使用による温度上昇が大幅に抑えられるとの利点がある。
【００３９】
さらに、例えば、低温を維持する必要があるエリア（例えば、冷蔵・冷凍倉庫や生鮮取り扱い関連の場所）での、温度上昇要素からの商品への影響を大きく低減することができる。
【符号の説明】
【００４０】
１      照明装置取付体
２      ＬＥＤ
３      中空部
４      放熱用部材
５      潜熱蓄熱材
６      熱伝導用粉末
７      液体
８      基台
９      カバー部材
１０    ＬＥＤライト
【手続補正２】
【補正対象書類名】実用新案登録請求の範囲
【補正対象項目名】全文
【補正方法】変更
【補正の内容】
【実用新案登録請求の範囲】
【請求項１】
高伝導率の金属製部材からなる筒状パイプ型をなす照明装置取付体と、該照明装置取付体の外側面に取り付けられる複数のＬＥＤと、前記照明装置取付体の筒内部に存する中空部に封入され、照明装置取付体を放熱器として兼用させる放熱用部材と、を備え、
前記放熱用部材は、融点が０〜１３０℃の範囲で異なる複数の潜熱蓄熱材と、熱伝導用粉末と、前記潜熱蓄熱材と前記熱伝導用粉末を混入する液体とを有して構成し、
前記放熱用部材を封入する照明装置取付体の中空部の容積、並びに該中空部に封入される放熱用部材の容量は、前記取り付けられるＬＥＤの数に応じて増減できる構成とした、
ことを特徴とする照明装置。